(57)【要約】【課題】メダル計数機で計数される被選別メダルから不正メダルのみを短時間で容易に選別及び排除することができるメダル用トレイ及びメダル計数機を提供すること。【解決手段】上方に開口したメダル投入口５Ａ，５Ｂに投入されたメダルを計数するメダル計数機１において、メダル投入口５Ａ，５Ｂを覆うメダル用トレイ１０であって、メダル用トレイ１０は上面に、メダルを載置可能な載置面１１と、メダル投入口５Ａ，５Ｂ内にメダルを落下可能な落下部位１３Ａ，１３Ｂと、を備える。メダル用トレイ１０の載置面１１に被選別メダルを適量を散布して載置すれば、例えば表面の色や刻印が異なる不正メダルを短時間で容易に選別して排除することができる。選別が終わった被選別メダルは、落下部位方面にスライド移動させて落下部位１３Ａ，１３Ｂからメダル投入口５Ａ，５Ｂ内に落下させる。【選択図】図１
2018068671.tif 000002
【特許請求の範囲】
【請求項１】
上方に開口したメダル投入口に投入されたメダルを計数するメダル計数機において、上記メダル投入口を覆うメダル用トレイであって、
上記メダル用トレイは上面に、メダルを載置可能な載置面と、上記メダル投入口内にメダルを落下可能な落下部位と、を備える、ことを特徴とするメダル用トレイ。
【請求項２】
請求項１記載のメダル用トレイにおいて、
上記メダル計数機は同じ大きさの上記メダル投入口が２個並べられメダル投入口列が形成されており、上記メダル用トレイは上記メダル投入口の１個を閉塞可能な大きさに形成されると共に平面矩形状に形成されており、上記落下部位は上記メダル用トレイの上面の対向する一対の端辺である、ことを特徴とするメダル用トレイ。
【請求項３】
請求項１記載のメダル用トレイにおいて、
上記落下部位は、上記メダル用トレイの上面に形成された孔である、ことを特徴とするメダル用トレイ。
【請求項４】
請求項１ないし３のいずれかに記載のメダル用トレイにおいて、
上記メダル用トレイは、透過性を備える素材により形成される、ことを特徴とするメダル用トレイ。
【請求項５】
請求項１ないし４のいずれかに記載のメダル用トレイにおいて、
上記メダル用トレイの上面には、上記載置面と上記落下部位の間に、上記落下部位方向に向かうにつれて上方に傾斜する傾斜面を備える、ことを特徴とするメダル用トレイ。
【請求項６】
請求項１ないし５のいずれかに記載のメダル用トレイにおいて、
上記メダル用トレイの下面に、上記メダル用トレイが上記メダル投入口に対して滑ることを防止する滑り防止部材を配置する、ことを特徴とするメダル用トレイ。
【請求項７】
請求項１ないし６のいずれかに記載のメダル用トレイにおいて、
上記載置面は、凹凸状に形成される、ことを特徴とするメダル用トレイ。
【請求項８】
上方に開口したメダル投入口に投入されたメダルを計数するメダル計数機において、
上記メダル投入口を覆うメダル用トレイを備え、
上記メダル用トレイは上面に、メダルを載置可能な載置面と、メダルが上記メダル投入口内に落下可能な落下部位と、を備える、ことを特徴とするメダル計数機。
【発明の詳細な説明】
【技術分野】
【０００１】
本発明は、遊技ホールで使用されるメダルを受けるためのメダル用トレイ及びメダルを計数するためのメダル計数機の技術に関する。
【背景技術】
【０００２】
遊技ホールでは、スロットマシンでの遊技により獲得されたメダルをメダル収容箱に収容し、そのメダル収容箱をスロット島の島端や遊技ホールのカウンター等に設置されたメダル計数機まで搬送し、次いで、メダル収容箱内のメダルをメダル計数機に投入してメダル数を計数する。そのメダル計数機の計数結果によりメダル数に応じた景品交換が行われる。メダルの計数に際し、正規メダルよりも価値の低い不正メダルをメダル計数機に投入して正規メダルとしてカウントさせる不正行為が行われることがあり、この不正行為を防止すべく不正メダルを検出して排除する機能を備えたメダル計数機が提案されている。
【０００３】
このような不正メダルを検出して排除する機能を備えたメダル計数機に関する技術として、ＣＣＤカメラにより構成される撮像部でメダルを撮像して得られた撮像情報に基づいて、不正メダルであるか否かを判定するための画像処理を行い、不正メダルを排除する計数ユニットを配置したメダル計数機が知られている（特許文献１）。
【０００４】
しかし、特許文献１に記載のものは、メダル同士やメダルとメダル計数機内部材が擦れ合うことで発生する金属粉がＣＣＤカメラのレンズ表面に付着することでＣＣＤカメラの撮像精度が低下し、不正メダルであるか否かを判定する判定精度が低下する虞がある。そのため、ＣＣＤカメラと画像処理ユニットと判定結果の通知装置とを搭載することに伴う製品価格の上昇に加えて、日々のメンテナンス工数も必要となりランニングコストもかかってしまう。
【０００５】
この点、上記特許文献１の問題点を解決可能な技術として、メダルを計数する計数ユニットを備えるメダル計数機であって、計数ユニットが備える磁気センサの検知部分を通過するメダルから、メダルを特徴付ける材質、外径、厚さの要素に関する磁気信号を取得し、この磁気信号に基づいてメダルが正規メダルであるか不正メダルであるかを判定し、不正メダルを排除するものが知られている（特許文献２）。特許文献２に記載のものは、メダルにより生じる金属粉の存在により判定精度が低下することはなく、メダルの真贋判定を高精度で行うことができる。
【先行技術文献】
【特許文献】
【０００６】
【特許文献１】特開２０１３−４８７０６号公報
【特許文献２】特開２０１５−７７３６０号公報
【発明の概要】
【発明が解決しようとする課題】
【０００７】
しかし、特許文献２に記載のものは、メダルの材質、外径、厚さの要素により、投入されたメダルが正規メダルであるか不正メダルであるかを判定するものである。このため、不正メダルが材質、外径、厚さの要素において正規メダルと同一であった場合、正規メダルとして判定され計数結果に反映されてしまう虞がある。
【０００８】
具体的には、正規メダルと同一の材質、外径、厚さを備えるが、例えば色や模様（刻印）が異なると共に正規メダルよりも価値の低い他の遊技ホールのメダルが持ち込まれても正規メダルとしてカウントされる虞がある。また、同一の遊技ホールであっても、同一の材質、外径、厚さを備えるが例えば色が異なるメダルをレート毎に使用する場合、高レートで使用されるメダルを計数する際に低レートで使用されるメダルが混入されて高レート用メダルとしてカウントされる虞がある。
【０００９】
この点、特許文献２に記載のものでは、正規メダルと同一の材質、外径、厚さを備える不正メダルを排除するためには、メダル計数機に投入される前段階で遊技ホールの従業員等がメダル収容箱内の被選別メダルを目視及び手作業にて確認して不正メダルの選別及び排除しなければならない。一方で、メダル収容箱内の被選別メダルは何重にも乱雑に重なりあっているものであり、メダル収容箱内の被選別メダルから不正メダルのみを短時間で選別及び排除するのは非常に困難である。
【００１０】
本発明はこのような事情の下になされたものであり、その目的はメダル計数機で計数される被選別メダルから不正メダルのみを短時間で容易に選別及び排除することができるメダル用トレイ及びメダル計数機を提供することにある。
【課題を解決するための手段】
【００１１】
上記課題を解決するために、本発明に係るメダル用トレイは、上方に開口したメダル投入口に投入されたメダルを計数するメダル計数機において、上記メダル投入口を覆うメダル用トレイであって、上記メダル用トレイは上面に、メダルを載置可能な載置面と、上記メダル投入口内にメダルを落下可能な落下部位と、を備える、ことを特徴とする。
【００１２】
遊技ホールの従業員等（以下に作業者とする）は、メダル計数機に被選別メダルが充填されたメダル収容箱を搬送した後、メダル収容箱内の被選別メダルをメダル用トレイの載置面に適量を散布して載置すれば、被選別メダル個々の外形等の大きさ、被選別メダル個々の表面もしくは裏面等の色や刻印等を目視で確認することができる。このため、作業者は被選別メダルの中から大きさ、表面等の色や刻印等が異なる不正メダルを短時間で容易に選別して手作業で排除することができる。
【００１３】
不正メダルが存在しないことを確認した被選別メダル、及び、不正メダルを排除した被選別メダルは、全て正規メダルとなる。作業者は、載置面上の被選別メダルを落下部位方面にスライド移動させて落下部位からメダル投入口内に落下させ、正規メダルのみをメダル計数機で計数することができる。
【００１４】
本発明に係るメダル用トレイは、既存のメダル計数機のメダル投入口の周縁上面に載置するだけで不正メダルの選別を行うことができるので、既存のメダル計数機に特段の改造を行うことなく、後付けが容易である。なお、メダル用トレイは、既存のメダル計数機のメダル投入口の形状に合わせた形状に形成することが好ましい。また、メダル計数機の価格の上昇を抑制しつつ、不正メダルの選別を行うことができる。
【００１５】
この場合、上記落下部位は、上記メダル用トレイの上面の端辺であってもよい。
【００１６】
このように構成することによって、メダル用トレイの上面の端辺とメダル投入口の周縁に生じる隙間からメダルをメダル投入口内に落下させることができる。
【００１７】
この場合、上記メダル用トレイは平面矩形状であって、上記落下部位は上記メダル用トレイの上面の対向する一対の端辺であることが好ましい。
【００１８】
このように構成することによって、メダル用トレイの上面の端辺とメダル投入口の周縁に生じる隙間を二カ所にして落下部位を増やすことができるので、載置面上の正規メダルを短時間で落下させることができる。
【００１９】
この場合、上記メダル計数機は同じ大きさの上記メダル投入口が２個並べられメダル投入口列が形成されており、上記メダル用トレイは上記メダル投入口の１個を閉塞可能な大きさに形成されてもよい。
【００２０】
このように構成することにより、例えば１枚のメダル用トレイで２個のメダル投入口内に被選別メダルを落下させることができる。また、２個のメダル投入口を備えるメダル計数機において、例えばそれぞれのメダル投入口毎にメダルを計数する計数部が備えられている場合であってその２個のうちの１個の計数部が故障した場合、故障した計数部にメダルを流下させるメダル投入口を閉塞することができる。このため、２個のうちの１個の計数部が故障した場合であっても、メダルの計数を正確に継続することができる。
【００２１】
この場合、上記落下部位は、上記メダル用トレイの上面に形成された孔であってもよい。
【００２２】
このように構成することによって、メダル用トレイの上面に形成された孔からメダルをメダル投入口内に落下させることができる。
【００２３】
この場合、上記メダル用トレイは、透過性を備える素材により形成されることが好ましい。
【００２４】
このように構成することによって、作業者がメダル投入口内を目視で確認することができる。
【００２５】
この場合、上記メダル用トレイの上面には、上記載置面と上記落下部位の間に、上記落下部位方向に向かうにつれて上方に傾斜する傾斜面を備える方が好ましい。
【００２６】
このように構成することによって、メダル用トレイの載置面に載置された被選別メダルが、落下部位から意図しない落下をしないように抑制することができる。
【００２７】
この場合、上記メダル用トレイの下面に、上記メダル用トレイが上記メダル投入口に対して滑ることを防止する滑り防止部材を配置してもよい。
【００２８】
このように構成することによって、メダル用トレイがメダル投入口に対して滑ることを防止し、載置面上の被選別メダルを落下部位方面にスライド移動させる際にメダル用トレイが被選別メダルと共にスライド移動してしまう不具合を抑制することができる。
【００２９】
この場合、上記載置面は、凹凸状に形成される方が好ましい。
【００３０】
このように構成することによって、作業者が載置面に載置された被選別メダルの中から不正メダルを排除する際に、載置面から不正メダルを取り出し易くすることができる。
【００３１】
本発明に係るメダル計数機は、上方に開口したメダル投入口に投入されたメダルを計数するメダル計数機において、上記メダル投入口を覆うメダル用トレイを備え、上記メダル用トレイは上面に、メダルを載置可能な載置面と、メダルが上記メダル投入口内に落下可能な落下部位と、を備える、ことを特徴とする。
【発明の効果】
【００３２】
本発明のメダル用トレイ及びメダル計数機によれば、メダル計数機で計数される被選別メダルから不正メダルのみを短時間で容易に選別及び排除することができる。
【図面の簡単な説明】
【００３３】
【図１】この発明に係るメダル計数機を示す斜視図である。
【図２】図１のα−α矢視断面図である。
【図３】この発明に係るメダル用トレイを示す斜視図（ａ），図３（ａ）のβ−β矢視断面における右端部拡大断面図（ｂ），図３（ａ）のγ−γ矢視断面における中央部拡大断面図（ｃ）である。
【図４】計数部を示す概略斜視図である。
【図５】メダル計数機を示す平面図（ａ），被選別メダルをメダル用トレイ上に載置した状態を示すメダル計数機の平面図（ｂ）である。
【図６】不正メダルを選別した状態を示すメダル計数機の平面図（ａ），正規メダルをメダル投入口内に落下させた状態を示すメダル計数機の平面図（ｂ）である。
【図７】メダル用トレイを右方向にスライド移動させた状態を示すメダル計数機の概略平面図である。
【図８】第２実施形態に係るメダル計数機を示す平面図である。
【図９】第２実施形態に係るメダル用トレイを示す斜視図（ａ），図９（ａ）のζ−ζ矢視断面における右端部拡大断面図（ｂ）である。
【図１０】その他の実施形態に係るメダル用トレイを示す底面図（ａ），図１０（ａ）のω−ω矢視断面における断面図（ｂ）である。
【発明を実施するための形態】
【００３４】
以下、本発明に係るメダル計数機１について、図面を参照して説明する。
【００３５】
メダル計数機１は、スロット島の島端や遊技ホールのカウンター等に設置されており、スロットマシン（図示せず）における遊技により遊技者が獲得したメダルを計数するためのものである。遊技により獲得されたメダルは、メダル収容箱（図示せず）に収容され作業者によりスロットマシンからメダル計数機１まで搬送される。
【００３６】
このメダル収容箱に収容されている被選別メダルの中には、遊技ホールによって使用が許可された正規メダルだけではなく、使用が許可されていない不正メダルが混入している虞がある。例えば不正メダルには、他の遊技ホール等から持ち込まれた色や刻印が異なるメダルや、同一の遊技ホールで例えば色が異なるメダルをレート毎に使用する場合、高レートマシンで使用されるメダルを計数する際に混入される低レートマシンで使用されるメダルである。なお、本実施形態においては、図５（ｂ）で示すように、正規メダルＭを無模様のメダルとして図示し、不正メダルＦを星形の刻印があるメダルをとして図示している。
【００３７】
メダル計数機１は、図１に示すように、メダル計数機本体２と、メダル用トレイ１０と、により主に構成されている。なお、この発明における上下方向、左右方向及び前後方向は図１にて矢印で示す方向である。
【００３８】
メダル計数機本体２は、図１，２で示すように、筐体５０と、ユーザインターフェイス部６０と、制御部（図示せず）と、２つの計数部７０Ａ，７０Ｂと、により主に構成されている。
【００３９】
筐体５０は、図１，２，５（ａ）で示すように、外観が略直方体形状であって後述する２個の計数部７０Ａ，７０Ｂを収納可能な内部空間を備えている。筐体５０の上部前側には、上方に開口したメダル投入口５Ａ，５Ｂが形成されている。メダル投入口５Ａ，５Ｂは、図１，５（ａ）で示すように、左右方向に長い平面矩形状であると共に同じ大きさの開口であって左右方向に２つ並べて設けられている。メダル投入口５Ａとメダル投入口５Ｂは、面一の状態で左右方向に並べられメダル投入口列５を形成している。また、図２で示すように、メダル投入口５Ａ，５Ｂの周縁には、平坦な面により形成される周縁上面５Ｃを備えている。
【００４０】
図２，５（ａ）で示すように、メダル投入口５Ａ，５Ｂの内部には擂り鉢状の受皿５１Ａ，５１Ｂが配設され、その底部には投入された正規メダルＭを中央に集めて、下方に配設した計数部７０Ａ，７０Ｂの計数回転盤７１Ａ，７１Ｂに送り出すための円形のメダル流下口５２Ａ，５２Ｂが開設されている。
【００４１】
ユーザインターフェイス部６０は、メダル計数機本体２の操作を可能にする操作機能と情報を表示する表示機能を備えている。ユーザインターフェイス部６０は、図１，２で示すように、メダル計数機本体２の上部後側に配置されており、後方に向かうにつれて上方に傾斜する上面を備えている。ユーザインターフェイス部６０の上面には、表示部６１と、スタートボタン６２と、呼出ボタン６３と、が配設されている。
【００４２】
表示部６１は、計数部７０Ａ，７０Ｂによって計数されたメダル数を遊技者が獲得したメダル数として表示する液晶ディスプレイである。スタートボタン６２は、メダルの計数を開始させるために押下するボタンである。呼出ボタン６３は、メダルの計数の際、遊技者が店員を呼び出すために押下するボタンである。
【００４３】
制御部は、筐体５０内に配設され、例えば、ＣＰＵ等のマイクロプロセッサとその周辺回路を有する演算処理部を備えたコンピュータにより構成され、メダル計数機本体２の各構成部を制御するための実行用プログラム等を格納するプログラム格納部（図示せず）と、表示部６１の表示態様のデータ等を記憶するための記憶部（図示せず）等を備えている。
【００４４】
また、制御部は、表示部６１，スタートボタン６２，計数部７０Ａ，７０Ｂ等と電気的に接続されており、各構成部等から送信された信号等に基づいて上述したプログラムを実行して各構成部等を制御し、メダル計数動作，表示動作等が行われるようになっている。
【００４５】
計数部７０Ａ，７０Ｂは、メダルを一枚ずつカウントする機器であって、カウントしたメダル数に関する情報を制御部に送信する。図２で示すように、計数部７０Ａは筐体５０内の左側の区画に配設され、計数部７０Ｂは筐体５０内の右側の区画に配設されている。計数部７０Ａ，７０Ｂは、図２，４で示すように、計数回転盤７１Ａ，７１Ｂと、搬送機構７２Ａ，７２Ｂと、で主に構成されている。なお、図４においては左側に配置される計数部７０Ａを図示したが、右側に配置される計数部７０Ｂは計数部７０Ａと同じ構造であって同じ動作をする。
【００４６】
計数回転盤７１Ａ，７１Ｂは、図２で示すように、上述したメダル流下口５２Ａ，５２Ｂの下方に配置される円形状の板体である。図４で示すように、計数回転盤７１Ａは、図示しない駆動モータによって水平に回転するもので、メダル流下口５２Ａから計数回転盤７１Ａの板面上に落下した正規メダルＭは、回転時の遠心力によって外壁面（図示せず）に寄せられながら回転する。この外壁部の一部は切りかかれており、遠心力により外壁面に接しながら周回しているメダルＭは、この切欠き部分から延出するガイドアーム７４Ａに案内されて、渡り板７３Ａ上を通過して、搬送ベルト７７Ａの下部に案内される。
【００４７】
計数回転盤７１Ａの中心には、図４で示すように、撹拌棒７５Ａが立設されており、計数回転盤７１Ａと共に回転し、メダル投入口５Ａへの投入によってできた正規メダルＭの山を撹拌することによって正規メダルＭのスムーズな流下を促がすことができる。
【００４８】
図４で示すように、搬送機構７２Ａは、正規メダルＭを両サイドから支持するガイドレール７６Ａと、正規メダルＭに上面から接触して搬送する搬送ベルト７７Ａを備えている。ガイドアーム７４Ａにより案内された正規メダルＭは、図示しない駆動モータによって周回する搬送ベルト７７Ａとの接触によって、渡り板７３Ａ上から先端側まで搬送されて落下する。この際、後述するメダル用トレイ１０上での選別により見落とされた例えば直径の小さな不正メダルＦが混じっていた場合は、対をなすガイドレール７６Ａの間から落下して、異物として排除される。搬送機構７２Ａよって搬送された正規メダルＭは、ガイドレール７６Ａの後端付近に配置される計数センサ７８（例えばフォトセンサ）によって計数される。計数結果は随時制御部に送信され、制御部は表示部６１に計数結果を随時アップデートして表示させる。計数を終えた正規メダルＭは、ガイドレール７６Ａの先端から排出樋（図示せず）を介してメダル計数機本体２外へと排出される。
【００４９】
メダル用トレイ１０は、図１，５（ａ）で示すように、例えばポリカーボネートなどの透過性を備えた合成樹脂製の平板体であって左右方向に長い平面矩形状に形成される。このように透過性を備える素材によりメダル用トレイ１０を形成することによって、メダル用トレイ１０でメダル投入口５Ａ，５Ｂを覆った場合であっても作業者がメダル投入口５Ａ，５Ｂ内を目視で確認することができる。メダル用トレイ１０の前後方向の長さは、メダル投入口５Ａの前後方向の長さより若干大きい長さを備える。また、メダル用トレイ１０の左右方向の長さは、メダル投入口５Ａの左右方向の長さより若干大きい長さを備える。
【００５０】
図３（ａ）で示すように、メダル用トレイ１０の上面には、メダルを載置可能な載置面１１と、メダル投入口５Ａ，５Ｂ内にメダルを落下可能な落下部位１３Ａ，１３Ｂと、載置面１１と落下部位１３Ａ，１３Ｂの間に設けられる傾斜面１４Ａ，１４Ｂと、を備える。
【００５１】
載置面１１は、メダル収容箱内の被選別メダルを散布して載置する面である。載置面１１は、図３（ａ）で示すように、メダル用トレイ１０の上面の中央に区画された平面矩形状の面である。また、載置面１１は、図３（ａ），（ｃ）で示すように、左右方向に複数の突起条１２が設けられ凹凸状に形成されている。突起条１２は、例えば図３（ｃ）で示すように、被選別メダルが突起条１２と突起条１２の間の凹部に落下しない間隔で設けられている。また、突起条１２と突起条１２との間隔を、メダルの直径以下の間隔に設定することもできる。このように載置面１１を凹凸状に形成することによって、作業者が載置面１１に載置された被選別メダルの中から不正メダルＦを排除する際に、載置面１１から不正メダルＦを取り出し易くすることができる。
【００５２】
落下部位１３Ａ，１３Ｂは、載置面１１上の被選別メダルをメダル投入口５Ａ，５Ｂ内に落下可能にする部位である。落下部位１３Ａ，１３Ｂは、図３（ａ）で示すように、メダル用トレイ１０の上面の左右方向の対向する一対の端辺である。このように落下部位１３Ａ，１３Ｂをメダル用トレイ１０の上面の対向する一対の端辺にすることによって、メダル用トレイ１０の上面の端辺とメダル投入口５Ａ，５Ｂの周縁に生じる隙間を二カ所にして落下部位を増やすことができるので、載置面１１上の正規メダルＭを両手で短時間に落下させることができる。
【００５３】
傾斜面１４Ａ，１４Ｂは、図３（ａ），（ｂ）で示すように、載置面１１と落下部位１３Ａ，１３Ｂの間に設けられ、落下部位１３Ａ，１３Ｂ方向に向かうにつれて上方に傾斜する面である。傾斜面１４Ａ，１４Ｂは、載置面１１上の被選別メダルを手作業でスライド移動すれば容易に乗り越えられるなだらかな傾斜を備えた面であって、落下部位１３Ａ，１３Ｂである端辺に沿って前後方向に凸条に設けられている。このようにメダル用トレイ１０の上面に傾斜面１４Ａ，１４Ｂを備えることによって、メダル用トレイ１０の載置面１１に載置された被選別メダルが、落下部位１３Ａ，１３Ｂから意図しない落下をしないように抑制することができる。
【００５４】
上記のようにして構成されるメダル用トレイ１０をメダル計数機本体２に取り付ける際は、メダル計数機本体２のメダル投入口５Ａ，５Ｂの周縁上面５Ｃにメダル用トレイ１０の前後の端部下面をそれぞれ合わせて載置するだけでよい。この際、メダル用トレイ１０を載置する左右方向の位置は、図１，５（ａ）で示すように、メダル投入口列５の左右方向の中心付近にメダル用トレイ１０の左右方向の中心付近を合わせて載置する。この位置に載置すれば、メダル用トレイ１０がメダル投入口５Ａ及びメダル投入口５Ｂの一部をそれぞれ覆うことができる。また、メダル用トレイ１０の落下部位１３Ａである端辺とメダル投入口５Ａの周縁に隙間を生じさせて正規メダルＭをメダル投入口５Ａ内に落下させることができると共に、メダル用トレイ１０の落下部位１３Ｂである端辺とメダル投入口５Ｂの周縁に隙間を生じさせて正規メダルＭをメダル投入口５Ｂ内に落下させることができる。すなわち、１枚のメダル用トレイ１０で２個のメダル投入口５Ａ，５Ｂ内に被選別メダルを落下させることができる。
【００５５】
上記のように構成されるメダル計数機１の使用方法について説明する。遊技者がスロットマシンでの遊技を終了すると、作業者は被選別メダルが充填されたメダル収容箱をメダル計数機１まで搬送する。作業者は、例えばメダル計数機１の後側スペースに収納されたメダル用トレイ１０を取り出し、上述したようにメダル計数機本体２のメダル投入口列５の左右方向の中心付近にメダル用トレイ１０の左右方向の中心付近を目視でおおよそ合わせて載置する（図５（ａ）参照）。メダル用トレイ１０は、平面矩形状の薄い平板体で形成できるため僅かなスペースがあれば収納することができ収納性に優れている。また、常にメダル投入口５Ａ，５Ｂの周縁上面５Ｃにメダル用トレイ１０を載置したままにしておき、メダル計数機１を使用しない場合にはメダル投入口５Ａ，５Ｂの上部に蓋（図示せず）を被せておくこともできる。
【００５６】
次いで、図５（ｂ）で示すように、作業員はメダル収容箱内の被選別メダルをメダル用トレイ１０の載置面１１に適量を散布して載置する。載置面１１に載置された被選別メダルは表面もしくは裏面を上にして横になった状態で載置されるため、作業員は、被選別メダル個々の外形等の大きさ、被選別メダル個々の表面もしくは裏面等の色や刻印等を目視で容易に確認することができる。この場合、図５（ｂ）で示すように、作業員は無模様の正規メダルＭの中から星形の刻印がある不正メダルＦを２つあることを容易に選別することができる。
【００５７】
次いで、作業員は載置面１１上の２つの不正メダルＦを手作業で取り出して排除する（図６（ａ）参照）。不正メダルＦを排除した被選別メダルは全て正規メダルＭとなる。また、必要に応じて、排除した不正メダルＦと同数の正規メダルＭを入れ替え投入して、メダルの総数を合わせることもできる。次いで、作業者は、載置面１１上の正規メダルＭを手作業で落下部位１３Ａ，１３Ｂ方面すなわち左右方面にスライド移動させて落下部位１３Ａ，１３Ｂからメダル投入口５Ａ，５Ｂ内に落下させる（図６（ｂ）参照）。次いで、作業員はユーザインターフェイス部６０のスタートボタン６２を押して、メダル計数機１に計数を開始させる。
【００５８】
このように、このメダル用トレイ１０及びメダル計数機１によれば、メダル計数機１で計数される被選別メダルから不正メダルＦのみを短時間で容易に選別及び排除することができる。
【００５９】
上述したように、メダル用トレイ１０の前後左右方向の長さは、メダル投入口５Ａの前後左右方向の長さより若干大きい長さを備える。一方で、メダル投入口５Ａとメダル投入口５Ｂは前後左右方向の長さが同じ大きさである。このため、メダル用トレイ１０は２個のメダル投入口５Ａ，５Ｂのうち、いずれか一方を閉塞可能な大きさに形成されている。また、メダル用トレイ１０は、メダル投入口５Ａとメダル投入口５Ｂとが左右方向に並べられたメダル投入口列５上をスライド移動することができる。
【００６０】
上記のように構成されることにより、図７で示すように、例えば右側の計数部７０Ｂがメダルの詰まり等により故障した場合、メダル投入口列５の略中央付近に載置されたメダル用トレイ１０を右側にスライド移動して、メダル用トレイ１０にメダル投入口５Ｂを閉塞させて計数部７０Ｂに正規メダルＭが流下するのを防止することができる。
【００６１】
この場合、作業者は、メダル用トレイ１０を右側にスライド移動した状態でメダル収容箱内の被選別メダルをメダル用トレイ１０の載置面１１に適量を散布して上述の手順と同様にして不正メダルＦを選別及び排除する。不正メダルＦを排除し終えた載置面１１上の正規メダルＭは、全て左方面に手作業でスライド移動させて左側の落下部位１３Ａからメダル投入口５Ａ内に落下させて計数を開始すればよい。このように構成することにより、２個のうちの１個の計数部が故障した場合であっても、正規メダルＭの計数を正確に継続することができる。
【００６２】
上述した第１実施形態において、メダル用トレイ１０の上面に形成される落下部位１３Ａ，１３Ｂは左右一対の端辺であったが、落下部位１３Ａ，１３Ｂはメダルをメダル投入口５Ａ，５Ｂ内に落下可能であればよく、例えばメダル用トレイ２０の上面に形成された孔であってもよい（第２実施形態）。
【００６３】
第２実施形態に係るメダル計数機１Ａは、図８に示すように、メダル計数機本体２と、メダル用トレイ２０と、により主に構成されている。
【００６４】
メダル用トレイ２０は、図８で示すように、例えばポリカーボネートなどの透過性を備えた合成樹脂製の平板体であって左右方向に長い平面矩形状に形成される。このように透過性を備える素材によりメダル用トレイ２０を形成することによって、メダル用トレイ２０でメダル投入口５Ａ，５Ｂを覆った場合であっても作業者がメダル投入口５Ａ，５Ｂ内を目視で確認することができる。メダル用トレイ２０の前後方向の長さは、メダル投入口５Ａの前後方向の長さより若干大きい長さを備える。また、メダル用トレイ２０の左右方向の長さは、メダル投入口５Ａ及びメダル投入口５Ｂ（メダル投入口列５）の左右方向の長さより若干大きい長さを備える。
【００６５】
図９（ａ）で示すように、メダル用トレイ２０の上面には、メダルを載置可能な載置面２１と、メダル投入口５Ａ，５Ｂ内にメダルを落下可能な落下部位２３Ａ，２３Ｂと、載置面２１と落下部位２３Ａ，２３Ｂの間に設けられる傾斜面２４Ａ，２４Ｂと、を備える。
【００６６】
載置面２１は、メダル収容箱内の被選別メダルを散布して載置する面である。載置面２１は、図９（ａ）で示すように、メダル用トレイ２０の上面の中央に区画された平面矩形状の面である。また、載置面２１は、図９（ａ）で示すように、左右方向に複数の突起条２２が設けられ凹凸状に形成されている。突起条２２は、被選別メダルが突起条２２と突起条２２の間の凹部に落下しない間隔で設けられている。また、突起条２２と突起条２２との間隔を、メダルの直径以下の間隔に設定することもできる。このように載置面２１を凹凸状に形成することによって、作業者が載置面２１に載置された被選別メダルの中から不正メダルＦを排除する際に、載置面２１から不正メダルＦを取り出し易くすることができる。
【００６７】
落下部位２３Ａ，２３Ｂは、載置面２１上の被選別メダルをメダル投入口５Ａ，５Ｂ内に落下可能にする部位である。落下部位２３Ａ，２３Ｂは、図８，９（ａ）で示すように、メダル用トレイ２０の載置面２１の左右に区画された端面に形成された前後方向に長い平面矩形状の孔である。
【００６８】
傾斜面２４Ａ，２４Ｂは、図９（ａ），（ｂ）で示すように、載置面２１と落下部位２３Ａ，２３Ｂの間に設けられ、落下部位２３Ａ，２３Ｂ方向に向かうにつれて上方に傾斜する面である。傾斜面２４Ａ，２４Ｂは、載置面２１上の被選別メダルを手作業でスライド移動すれば容易に乗り越えられるなだらかな傾斜を備えた面であって、落下部位２３Ａ，２３Ｂである孔の載置面２１側周縁に沿って前後方向に凸条に設けられている。このようにメダル用トレイ２０の上面に傾斜面２４Ａ，２４Ｂを備えることによって、メダル用トレイ２０の載置面２１に載置された被選別メダルが、落下部位２３Ａ，２３Ｂから意図しない落下をしないように抑制することができる。
【００６９】
なお、第２実施形態において、その他の構成は第１実施形態と同じであるので、同一部分には同一符号を付して説明は省略する。
【００７０】
上記のようにして構成されるメダル用トレイ２０をメダル計数機本体２に取り付ける際は、図８で示すように、メダル計数機本体２のメダル投入口５Ａ，５Ｂの周縁上面５Ｃにメダル用トレイ２０の前後左右の端部下面をそれぞれ合わせて載置するだけでよい。この位置に載置すれば、メダル用トレイ２０は、メダル投入口５Ａ及びメダル投入口５Ｂを覆うことができる。また、メダル用トレイ２０の落下部位２３Ａである孔をメダル投入口５Ａの上方に配置させることができると共に、メダル用トレイ２０の落下部位２３Ｂである孔をメダル投入口５Ｂの上方に配置させることができる。
【００７１】
上記のように構成されるメダル計数機１Ａの使用方法について説明する。遊技者がスロットマシンでの遊技を終了すると、作業者は被選別メダルが充填されたメダル収容箱をメダル計数機１Ａまで搬送する。作業者は、例えばメダル計数機１Ａの後側スペースに収納されたメダル用トレイ２０を取り出し、上述したようにメダル計数機本体２のメダル投入口列５にメダル用トレイ２０を載置する（図８参照）。メダル用トレイ２０は、平面矩形状の薄い平板体で形成できるため僅かなスペースがあれば収納することができ収納性に優れている。
【００７２】
次いで、作業員はメダル収容箱内の被選別メダルをメダル用トレイ２０の載置面２１に適量を散布して載置する。載置面２１に載置された被選別メダルは表面もしくは裏面を上にして横になった状態で載置されるため、作業員は、被選別メダル個々の外形等の大きさ、被選別メダル個々の表面もしくは裏面等の色や刻印等を目視で容易に確認することができ、不正メダルＦを容易に選別することができる。
【００７３】
次いで、作業員は載置面２１上の不正メダルＦを手作業で取り出して排除する。不正メダルＦを排除した被選別メダルは全て正規メダルＭとなる。作業者は、載置面２１上の正規メダルＭを手作業で落下部位２３Ａ，２３Ｂ方面すなわち左右方向にスライド移動させて落下部位２３Ａ，２３Ｂからメダル投入口５Ａ，５Ｂ内に落下させる。次いで、作業員はユーザインターフェイス部６０のスタートボタン６２を押して、メダル計数機１Ａに計数を開始させる。
【００７４】
このように、第２実施形態のメダル用トレイ２０及びメダル計数機１Ａによれば、メダル計数機１Ａで計数される被選別メダルから不正メダルＦのみを短時間で容易に選別及び排除することができる。
【００７５】
なお、上述した第１実施形態におけるメダル用トレイ１０の下面に、メダル用トレイ１０がメダル投入口５Ａ，５Ｂに対して滑ることを防止する滑り防止部材３０を配置してもよい（その他の実施形態）。
【００７６】
この場合、図１０（ａ），（ｂ）で示すように、メダル投入口５Ａ，５Ｂの周縁上面５Ｃと接合するメダル用トレイ１０の端部下面の部位例えば下面の四隅に例えば矩形状のゴム製の滑り防止部材３０を接着する。このように構成することによって、メダル用トレイ１０がメダル投入口５Ａ，５Ｂに対して滑ることを防止し、載置面１０上の被選別メダルを左右方面にスライド移動させる際にメダル用トレイ１０が被選別メダルと共にスライド移動するのを抑制することができる。
【００７７】
また、図１０（ａ），（ｂ）に示したゴム製の滑り防止部材３０に代えてメダル用トレイの下面に係合用の凸部又は凹部を形成すると共に、メダル投入口５Ａ，５Ｂの周縁上面５Ｃにも係合用の凹部又は凸部を形成して、メダル用トレイを周縁上面５Ｃに対して係止させる構成を採用することもできる。このように構成することによって、メダル用トレイが被選別メダルと共にスライド移動する不具合を抑制することができる。
【００７８】
本発明は上記の実施形態及び実施例の例示に限定されるものでなく、特許請求の範囲の技術的範囲には、発明の要旨を逸脱しない範囲内で種々、設計変更した形態が含まれる。
【符号の説明】
【００７９】
１，１Ａ  メダル計数機
５  メダル投入口列
５Ａ，５Ｂ  メダル投入口
１０，２０  メダル用トレイ
１１，２１  載置面
１３Ａ，１３Ｂ  落下部位（端辺）
２３Ａ，２３Ｂ  落下部位（孔）
１４Ａ，１４Ｂ，２４Ａ，２４Ｂ  傾斜面
３０  滑り防止部材
【図１】
2018068671.tif 000003
【図２】
2018068671.tif 000004
【図３】
2018068671.tif 000005
【図４】
2018068671.tif 000006
【図５】
2018068671.tif 000007
【図６】
2018068671.tif 000008
【図７】
2018068671.tif 000009
【図８】
2018068671.tif 000010
【図９】
2018068671.tif 000011
【図１０】
2018068671.tif 000012